(57)【要約】【課題】本体袋に取り付けられたそれより小さい小袋が、必要に応じて着脱できて便利に使用できるうえに、付加価値も有するような手提げ袋の提供。【解決手段】提げ手２２を有する本体袋２１と、該本体袋２１の外側面２３のうちの正面２３ｂに着脱可能な小袋３１を備え、前記本体袋２１の正面２３ｂには複数組のスナップの一方２５を有し、前記小袋３１の背面３３には前記スナップの一方２５に係脱するスナップの他方３６を有した手提げ袋１１。【選択図】図１
0003156662.tif 000002
【実用新案登録請求の範囲】
【請求項１】
提げ手を有する本体袋と、該本体袋の外側面に着脱可能な小袋を備えた
手提げ袋。
【請求項２】
前記本体袋と小袋の双方に、互いに着脱し合う着脱手段が備えられた
請求項１に記載の手提げ袋。
【請求項３】
前記着脱手段が、スナップ、面ファスナ、磁石、および差込片と被差込部のうちのいずれか一つである
請求項２に記載の手提げ袋。
【請求項４】
前記小袋に、前記本体袋の一部に係止される係止部が形成された
請求項１から請求項３のうちのいずれか一項に記載の手提げ袋。
【請求項５】
前記係止部が、前記本体袋における上端の閉じた開口部に外嵌する枠部材、又は前記本体袋の開口部に係止するフック部材である
請求項４に記載の手提げ袋。
【請求項６】
前記小袋が、前記本体袋の上端の開口部を閉じるように装着される
請求項１から請求項５のうちのいずれか一項に記載の手提げ袋。
【考案の詳細な説明】
【技術分野】
【０００１】
この考案は、たとえば紙や布、合成樹脂等で製造された手提げ袋に関し、より詳しくは、小袋を備えた手提げ袋に関する。
【背景技術】
【０００２】
小袋を備えた手提げ袋としては、下記特許文献１に開示されたようなものがある。特許文献１に記載された手提げ袋は、袋体の外側面又は内側面に、前記袋体よりも小さい別の袋体を一体に併設したものである。袋体を２つ有することにより、商品等を分けて収納できる利点がある。
【先行技術文献】
【特許文献】
【０００３】
【特許文献１】実開平２−４００４３号公報
【考案の概要】
【考案が解決しようとする課題】
【０００４】
しかし、それらの袋体は一体であって、取り外すことができない。このため、小さい袋体が不要な場合には邪魔になる。小さい袋体の両側面にはマチが形成されており、偏平にできるものの、それを保持しておく手段がないので、特に小さい袋体が外側面に取り付けられていた場合には、手提げ袋を手に提げて持ち歩くときに、邪魔になりやすい。また、小さい袋体が内側面に取り付けられている場合には、大きい袋体に対する物品の出し入れがしにくいという問題もある。
【０００５】
そこで、この考案は、必要に応じて着脱ができて便利に使用できるうえに、付加価値も有するような手提げ袋の提供を主たる目的とする。
【課題を解決するための手段】
【０００６】
そのための手段は、提げ手を有する本体袋と、該本体袋の外側面に着脱可能な小袋を備えた手提げ袋である。小袋には様々なものを使用できる。たとえば、手提げ袋、書類袋様の形態の袋、ウエストポーチ様の形態の袋、ぬいぐるみからなる袋などがあげられる。
【０００７】
前記本体袋と小袋の双方に、互いに着脱し合う着脱手段を備えることができる。この着脱手段は、スナップ、面ファスナ、磁石、および差込片と被差込部のうちのいずれかであるとよい。
【０００８】
また、前記小袋に、前記本体袋の一部に係止される係止部を形成することができる。この係止部としては、前記本体袋における上端の閉じた開口部に外嵌する枠部材、又は前記本体袋の開口部に係止するフック部材であるとよい。
【０００９】
さらに、前記小袋は、前記本体袋の上端の開口部を閉じるように装着することができる。
【考案の効果】
【００１０】
この考案によれば、小袋は本体袋に対して着脱できるので、小袋が不要なときには外すことができる。そして、小袋は、本体袋に入れておくことも、本体袋を折り畳んで収納するケースとして使用することもできる。
【００１１】
また、本体袋の上端の開口部を閉じるように小袋を装着すれば、小袋に物品を収納した上で本体袋の開口部を閉じられるので、内部を見られることを防げる。さらに、小袋の形態によってはアクセサリーにもなる。
【図面の簡単な説明】
【００１２】
【図１】手提げ袋の分離状態の斜視図。
【図２】手提げ袋の他の例に係る本体袋の斜視図。
【図３】手提げ袋の斜視図。
【図４】他の例に係る手提げ袋の分離状態の斜視図。
【図５】他の例に係る手提げ袋の分離状態の斜視図。
【図６】図５の一部を示す断面図。
【図７】他の例に係る手提げ袋の斜視図。
【図８】他の例に係る手提げ袋の斜視図。
【図９】他の例に係る手提げ袋の斜視図。
【図１０】他の例に係る手提げ袋の斜視図。
【図１１】他の例に係る手提げ袋の要部の正面図。
【図１２】他の例に係る手提げ袋の分離状態の断面図。
【考案を実施するための形態】
【００１３】
この考案を実施するための一形態を、以下図面を用いて説明する。
【００１４】
図１は、手提げ袋１１の斜視図を示し、この手提げ袋１１は、提げ手２２を有する本体袋２１と、この本体袋２１の外側面２３に着脱可能な小袋３１を有する。
【００１５】
本体袋２１は、紙、布、合成樹脂等の適宜の材料で形成される。図１の例では、布製または合成樹脂製のものを示している。この本体袋２１は、底面２３ａ、正面２３ｂ、背面２３ｃ、両側面２３ｄの五面の外側面２３を有し、上端に開口部２４を有する。そしてこの開口部２４を挟む相対向する正面２３ｂと背面２３ｃの上端部に前記提げ手２２が固定されている。提げ手２２は外側面２３と一体のものであるもよい。
【００１６】
また、外側面２３のうちの正面２３ｂの適宜位置には、２個一組のスナップの一方２５が複数組配設されている。
【００１７】
一方、小袋３１は、略直方体状に形成され、略方形状の正面３２及び背面３３と、これらの外周を囲む外周面３４とを有する。そして、外周面３４のうちの上側部分に、開閉のためのスライドファスナ３５が設けられている。また、前記背面３３には、前記本体袋２１に配設された２個ずつ一組のスナップの一方２５に係止する２個一組のスナップの他方３６が固定されている。これらスナップの一方２５と他方３６が着脱手段である。
【００１８】
なお、本体袋２１には、図２に示したように、適宜の図柄や模様等からなる装飾部２６を備えるとよい。スナップの一方２５の存在を目立たなくできるとともに、装飾部２６によっては小袋３１を固定したときに外観上の面白さを表現できる。
【００１９】
図３は、図２に示した本体袋２１に小袋３１を装着した状態の手提げ袋１１の斜視図である。小袋３１の装着は、小袋３１の背面３３のスナップの他方３６を、本体袋２１における適宜位置のスナップの一方２５に係止すれば行える。装着状態は、スナップ２５，３６によりしっかりと係止して固定されるので、容易に外れたりすることはない。
【００２０】
本体袋２１には、購入した商品などの物品を入れ、小袋３１には、そのうちの小さなものや買い物メモ、電卓、ポイントカード、サービスカード、バス等の回数券、すぐに取り出したい物品などを収納するとよい。本体袋２１だけの場合よりも、状況に応じて便利に使用できる。また、本体袋２１の装飾部２６と小袋３１によって、見た目に面白さを与えることもできる。さらに、小袋３１は外側面２３に固定されるので、本体袋２１内の物品の出し入れに際して小袋３１が邪魔になることはなく、本体袋２１内に可能な限り多くの物品を収納できる。
【００２１】
なお、前記着脱手段としてのスナップ２５，３６の取り付け位置や数は、適宜設定できる。また、小袋３１を複数個備えるもよい。
【００２２】
以下、その他の形態について説明する。この説明において、同一又は同等の構成については同一の符号を付して、その詳しい説明を省略する。
【００２３】
図４は、前記スナップ２５，３６に代えて、着脱手段として面ファスナを用いた手提げ袋１１を示す斜視図である。すなわち、本体袋２１の外側面２３のうちの正面２３ｂに面ファスナの一方２７が設けられ、小袋３１の背面３３に面ファスナの他方３７が設けられている。
【００２４】
本体袋２１における面ファスナの一方２７は、全面的に広範囲にわたって設けられ、色の違いや面ファスナの一方２７の欠損等によって図柄や模様が描かれて装飾部２６が形成されている。面ファスナの一方２７を設けるほか、面ファスナの他方３７が係止する材料で本体袋２１自体を構成することもできる。
【００２５】
小袋３１における面ファスナの他方３７は、帯状に２本形成されている。全面的に形成することもできる。
【００２６】
このような構成の手提げ袋１１でも、前述と同様の作用効果を得られる。特に、面ファスナ２７，３７で構成しているので、小袋３１の取り付け位置や向きを自由に設定できる利点がある。
【００２７】
図５は、本体袋２１を紙袋、小袋３１を種類袋で構成した手提げ袋１１の例を示す斜視図である。本体袋２１は、底面２３ａ、正面２３ｂ、背面２３ｃ、両側面２３ｄの五面からなる外側面２３を有し、両側面２３ｄにはマチが形成され内側に折り込まれるように構成されている。また、正面２３ｂと背面２３ｃの上端部には、いわゆるハッピータックと呼ばれる合成樹脂製の提げ手２２が設けられている。
【００２８】
そして、正面の上側部分には水平方向に適宜長さの切り込みからなる被差込部２８が形成されている。この被差込部２８は、前記小袋３１の幅よりも短く設定されている。この被差込部２８の裏側における上方には、図６（ａ）に示したように、可撓性を有する裏当てシート２９が貼着されている。図中、２９ａは粘着層である。裏当てシート２９により、正面から見ても内部が見えないように塞ぐ。また、裏当てシート２９は可撓性を有するので、被差込部２８を通して紙片状のシート材を下に向けて差し込むことが可能である。
【００２９】
一方、小袋３１は、両側面にマチを有したいわゆる書類袋と同様の形態で、背面３３に、略長方形状の差込片３８が設けられている。差込片３８の上端部分のみが、図６（ｂ）に示したように背面３３に固定され、それよりも下側の部分が背面３３から離間可能となっている。図中、３８ａは粘着層である。
【００３０】
前記被差込部２８と差込片３８が着脱手段を構成する。
【００３１】
このような構成であるので、小袋３１の差込片３８を本体袋２１の被差込部２８に差し込むと、図５に仮想線で示したように、小袋３１は本体袋２１に固定される。
【００３２】
小袋３１を外すときには、小袋３１を上に引き上げるだけでよく簡単である。
【００３３】
このような構成の手提げ袋１１でも、前述と同様の作用効果を得られる。特に、差込による固定を行うので、着脱の操作性が良好である。また、書類袋と同様の形態の小袋３１を備えるので、シート状の書類と、適宜形態の物品、例えばパンフレットと試供品のような物品を同時に持ち運ぶときに、パンプレットが折れ曲がったりしないようにきれいな状態に保てる利点がある。
【００３４】
図７（ａ）は、小袋３１が本体袋２１の上端の開口部２４を閉じるように装着される手提げ袋１１の例を示す斜視図である。
【００３５】
本体袋２１は、底面２３ａ、正面２３ｂ、背面２３ｃ、両側面２３ｄの五面の外側面２３を有し、正面２３ｂと背面２３ｃの上端部に、一組の提げ手２２を有する。これら提げ手２２には、互いに係止し合う周知の留め部２２ａが一体に形成されている。
【００３６】
小袋３１は、たとえば携帯電話などを収納するのに適した、上端が開口した袋状に形成されている。具体的には偏平な有底筒状である。そして、背面３３には、板状の係止部３９が形成されている。係止部３９は、上端部３９ａが小袋３１の背面３３に固定され、それより下側の部分が、小袋３１の背面３３から適宜の隙間をあけてクリップ部３９ｂを構成する。係止部３９は金属製でも合成樹脂製でもよい。
【００３７】
このような構成であるので、本体袋２１に必要な物品を収納し、小袋３１に携帯電話等を収納して、小袋３１の係止部３９のクリップ部３９ｂを、図７（ｂ）に示したように、本体袋２１の閉じた上端縁に上から引っ掛けることによって、本体袋２１の開口部２４が閉じられる。本体袋２１の提げ手２２に開口部２４を閉じる留め部２２ａが形成されていても、それを用いずに容易に開口部２４を閉じることができ、中身を他人に見られずにすむ。しかも、小袋３１に収納した携帯電話等を使用する場合には、本体袋２１の中から探し出さずとも容易に手にして使用することができる。
【００３８】
このような構成の手提げ袋１１でも、前述と同様の作用効果を得られる。特に、開口部２４を容易に閉じることができ、中身を他人に見られずにすむので、日ごろ持ち歩く手提げ袋として便利である。
【００３９】
なお、小袋３１が封筒状またはポチ袋状のものであってもよい。また、小袋３１が図８（ａ）に示したような窓を有した封筒状のものであって、短冊状のシート５１を収納可能にしたものであれば、結婚披露宴での引き出物を入れる手提げ袋１１に取り付ける札として小袋３１を使用することができる。前記短冊状のシート５１には氏名が記載されている。このようにすると、引き出物の取り違えを防止できる。小袋３１の係止部３９は前述のような構成なので、本体袋２１の開口部２４を閉じずに小袋３１を本体袋２１に係止することもできる（図８（ｂ）参照）。
【００４０】
図９（ａ）も、小袋３１が本体袋２１の上端の開口部２４を閉じるように装着される手提げ袋１１の斜視図である。
【００４１】
本体袋２１は、図７に示した本体袋２１と同様である。小袋３１は、ウエストポーチ状の形態であり、物品を収容する収容部分は、正面が略円弧状を描く曲面で構成され、上側部分に開閉のためのスライドファスナ３５を有する。そして、背面３３には、枠部材４０が固定されている。
【００４２】
枠部材４０は、収容部分の背面に固定され、本体袋２１の上端の閉じた開口部２４に上から嵌めることで上端部を束ねるようになる。枠部材４０は紙や合成樹脂シート等の適宜の材料で構成できるが、手提げ袋１１を提げたときに破損しない程度の強度を有するのが好ましい。
【００４３】
このように構成された手提げ袋１１は、本体袋２１に物品を収納した後、開口部２４を閉じて、小袋３１の枠部材４０を開口部部分に嵌める。すると、図９（ｂ）に示したように本体袋２１の開口部２４が閉じられる。そして、小袋３１の収容部分には別の物品を収納できる。
【００４４】
このような構成の手提げ袋１１でも、前述と同様の作用効果を得られる。特に、枠部材４０で開口部２４を閉じるので、開口部２４を完全に閉じることができる。このため、たとえば福袋としての使用に効果的である。この場合、小袋３１にも適宜の商品等を収容することで、より購買意欲を駆り立てることができる。この効果は、小袋３１の形態に様々なものを備えることによっても助長できる。
【００４５】
図１０は、小袋３１がぬいぐるみからなる袋である手提げ袋１１の例を示す斜視図である。すなわち、本体袋２１は、図７に示した本体袋２１と同様で、小袋３１は、図示の如く、サルのぬいぐるみの形態をしている。ぬいぐるみの背面には、物品を出し入れするためのスライドファスナ３５が設けられている。また、小袋３１の上端部の両手部分は、適宜の剛性を有する合成樹脂や金属等で、本体袋２１の開口部２４に係止するフック部材４１が設けられている。フック部材４１が係止するのは、図示したように閉じた状態の開口部２４の縁であるも、開いた状態の開口部２４の縁であるもよい。
【００４６】
このような構成の手提げ袋１１でも、前述と同様の作用効果を得られる。特に、小袋３１がぬいぐるみからなるものであるので、アクセサリーとしての役割も果たす。
【００４７】
図１１は、小袋３１の係止の仕方の他の例を示す手提げ袋１１の正面図である。本体袋２１は、図７に示した本体袋２１と同様である。小袋３１の係止部４２は、物品を収容する収容部分の両側から、閉ループ状をなすように延びた紐で構成される。
【００４８】
このように構成された手提げ袋１１は、本体袋２１に物品を収納した後、または収納前に、本体袋２１の提げ手２２の留め部２２ａを留めて開口部２４を閉じ、このときに、係止部４２の中間部分を留め部２２ａの下に通して係止し、小袋３１の収容部分を本体袋２１の正面２３ｂ又は背面２３ｃに沿わせる。
【００４９】
このような構成の手提げ袋１１でも、前述と同様の作用効果を得られる。特に、小袋３１の係止部４２が閉ループ状をなす紐状であるので、小袋３１のみを携行することも体裁よく行える。
【００５０】
図１２は、着脱手段として磁石を用いた例の手提げ袋１１の断面図である。本体袋２１も小袋３１も紙袋で構成され、それぞれの正面２３ｂ，２３ｃと背面３２，３３の上端部に提げ手２２を有する。大きさが異なるだけで形態は同様である。また、本体袋２１の正面２３ｂの内側面に可撓性を有するマグネットシート４３が貼り付けられ、小袋３１の正面３３の外側面に、金属箔や可撓性を有する鉄粉含有シート等からなる被吸着シート４４が貼り付けられている。なお、上記「正面」とは、偏平に折り畳んだときに、底部分を折り曲げない方向の面のことを指す。
【００５１】
このような構成の手提げ袋１１でも、前述と同様の作用効果を得られる。特に、着脱手段が磁力によるものであるので、着脱操作が容易であり、取り付け位置も自由にできる利点がある。
【００５２】
以上の実施の形態はこの考案を説明するための一形態であって、その他の形態を採用することができる。  
たとえば、小袋は、正面だけではなく外側面のいずれの部位にも装着することができる。比較的軽く圧縮にも強い折り畳み傘などの物品を収納する小袋の場合には、本体袋の底部に装着することもできる。この場合には、必要なときには袋の中をかき回さずとも容易に傘を取り出せる。また、軽い物品のみを本体袋に収納した場合でも、底面の小袋内の物品が錘になるので、持ち運びときに風であおられて持ちにくくなることもなくせる。
【符号の説明】
【００５３】
１１…手提げ袋
２１…本体袋
２２…提げ手
２３…外側面
２４…開口部
２５…スナップの一方
２７…面ファスナの一方
２８…被差込部
３１…小袋
３６…スナップの他方
３７…面ファスナの他方
３８…差込片
３９…係止部
４０…枠部材
４１…フック部材
４２…係止部
４３…マグネットシート
４４…被吸着シート
【図１】
0003156662.tif 000003
【図２】
0003156662.tif 000004
【図３】
0003156662.tif 000005
【図４】
0003156662.tif 000006
【図５】
0003156662.tif 000007
【図６】
0003156662.tif 000008
【図７】
0003156662.tif 000009
【図８】
0003156662.tif 000010
【図９】
0003156662.tif 000011
【図１０】
0003156662.tif 000012
【図１１】
0003156662.tif 000013
【図１２】
0003156662.tif 000014